(57)【要約】      （修正有）【課題】携帯性が高く、かつカメラを確実に保持することができるカメラ用三脚を提供する。【解決手段】カメラを取り付ける雲台２と、雲台を回動自在に支持する支持部材４と、支持部材に上端部が回動自在に支承され、かつ下端部に接地部材が回動自在に支承された脚体５とからなり、脚体は、屈曲自在な金属線よりなる線条体５ａと、線条体に互いに当接するように挿通された複数の球体５ｃとから構成したもので、写真を撮影する場所に適当な平面がない場合は、柵やポール、木の枝等に屈曲自在な脚体を巻き付けてカメラを保持することにより写真撮影が可能なため、三脚を設置する場所に制限を受けることが少ない上、柵やポール、木の枝等に対し球体が面接触となるため、両者の接触部に大きな摩擦力が得られるようになり、撮影中にカメラがグラツクことがないため、安定した写真撮影やビデオ撮影が可能になる。【選択図】図２
0003154262.tif 000002
【実用新案登録請求の範囲】
【請求項１】
カメラを取り付ける雲台と、前記雲台を回動自在に支持する支持部材と、前記支持部材に上端部が回動自在に支承され、かつ下端部に接地部材が回動自在に支承された脚体とからなり、前記脚体を、屈曲自在な金属線よりなる線条体体と、前記線条体体に互いに当接するように挿通された複数の球体とから構成したことを特徴とするカメラ用三脚。
【請求項２】
前記球体を、弾性を有する材料からなり、かつ頂部に筒状の凹入部が形成され、また底部に前記凹入部に嵌合する筒状部が突設された多面球体より形成してなる請求項１に記載のカメラ用三脚。
【請求項３】
前記雲台にカメラを取り付けるクイックシューを着脱自在に設けると共に、前記クイックシュートと前記雲台との間に、前記クイックシューを正逆方向へ回動することにより係脱自在な係止手段を設けてなる請求項１または２に記載のカメラ用三脚。
【請求項４】
前記係止手段を、雲台側に設けられた係止爪と、前記クイックシュー側に設けられ、かつ前記クイックシューを正逆方向へ回動することにより前記係止爪に係脱自在な係止板と、前記係止爪に前記係止板が係止された状態で前記クイックシューの回動を係止する係止レバーとから構成してなる請求項３に記載のカメラ用三脚。
【考案の詳細な説明】
【技術分野】
【０００１】
本考案は写真撮影の際に使用するカメラ用三脚に関する。
【背景技術】
【０００２】
近年デジタルカメラの普及とともにカメラ自体の小型軽量化が進んでおり、これに伴い手軽に持ち運べる小型のカメラ用三脚の要求も高い。
しかし従来の三脚の多くは、全体が金属で形成されていることから、重量が重く持ち運びに不便なため、カメラ愛好家以外は三脚を持ち運ぶことが少なく、外出先や旅先等で自身の写真を撮りたい場合は、近くにいる人に撮影をお願いすることになるが、近くに人がいなかったり、人に頼むのが苦手な人は、撮影を諦めなければならなかった。
【０００３】
一方、旅先等にも容易に持ち運びができる小型軽量のカメラ用三脚（一脚も含む）として、例えば特許文献１ないし３等に記載のものが公知となっている。
前記特許文献１に記載のカメラ用挟着式支持具は、屈折自在な関節式具材により形成された棒状体の一端にカメラを、そして他端にクリップ式の挟着部を設けたもので、軽便で設置に時間がかからず、収納にも場所を要しないため、旅行の際のセルフタイマー撮影等に最適である等の効果を有している。
【０００４】
また特許文献２の携帯用三脚は、台座に弾性体により形成され長尺な３本の脚体が設けられており、各脚体が摺動体に挿通されていて、摺動体を脚体に沿って摺動することにより、各脚体が開閉できるようになっている。
そして前記構成により、各脚体が弾性力により摺動体を常に押圧することになって、摺動体の摺動に伴い開閉状態となるため、脚体の開閉動作をワンタッチで行うことができ、これによって使い勝手が飛躍的に向上するという効果を有している。
【０００５】
一方特許文献３にカメラ固定具は、一端にカメラを取り付けるカメラ固定具が設けられ、他端側に滑り止めが設けられた任意な長さの可撓性ワイヤから構成されていて、ワイヤを三脚となるよう折り曲げたり、ポール等に巻き付けることにより、平面台やポールにカメラを設置して写真撮影ができるようになっている。
【先行技術文献】
【特許文献】
【０００６】
【特許文献１】実用新案登録第３０８３６６０号公報
【特許文献２】特開平８−９３９９２公報
【特許文献３】特開２００７−８６７０６公報
【考案の概要】
【考案が解決しようとする課題】
【０００７】
しかし前記特許文献１ないし３に記載のカメラ用三脚は、小型軽量のため持ち運びに便利な反面、次のような問題がある。
すなわち特許文献１のカメラ用挟着式支持具のように、棒状体の一端側にクリップ式の挟着部が設けられたものでは、撮影する場所の近くに挟着部でクリップできるようなものがない場合、カメラを設置することができないため、撮影場所に制限を受ける問題がある。
また棒状部を形成する関節式具材は、各具材の端部が互いに嵌合することにより連結されていて、嵌合部の摩擦力でカメラの重量を保持する構成のため、各具材の嵌合部を精度よく製作する必要があり、具材の精度が悪いと嵌合部の摩擦力が不足してカメラを保持できなくなったり、逆に具材同士が互いに嵌合できないものは不良品となる問題がある。
さらに使用初期には適度の摩擦力が得られても、長期間使用していると嵌合部が摩耗して保持力が低下するため、カメラを保持できなくなる問題もある。
【０００８】
一方特許文献２の携帯用三脚は、弾性体よりなる脚体が摺動体に挿通されていて、摺動体を脚体に沿って摺動することにより、各脚体が開閉できるようになっているため、平面上に設置して、三脚として使用する場合は問題が少ないが、撮影場所の近くに平面がないため例えば柵や木の枝等に脚体を巻き付けて使用した場合、脚体に巻き癖がついて摺動体の摺動が困難になり、以後使用できなくなる問題がある。
【０００９】
また特許文献３に記載のカメラ固定具は、前記特許文献２のような問題は少ないが、脚となる可撓性ワイヤが一本のため、脚を三脚形状にして使用する場合、３脚分の長さの可撓性ワイヤを必要としたり、可撓性ワイヤを例えば柵や木の枝等に脚体を巻き付けて使用する場合も、カメラを保持するのに十分な長さの可撓性ワイヤを必要とするため、可撓性ワイヤの長さが長くなって携帯に不便である等の問題がある。
本考案はかかる問題を改善するためになされたもので、携帯性が高く、かつカメラを確実に保持することができるカメラ用三脚を提供することを目的とするものである。
【課題を解決するための手段】
【００１０】
本考案のカメラ用三脚は、カメラを取り付ける雲台と、雲台を回動自在に支持する支持部材と、支持部材に上端部が回動自在に支承され、かつ下端部に接地部材が回動自在に支承された脚体とからなり、脚体を、屈曲自在な金属線よりなる線条体体と、線条体体に互いに当接するように挿通された複数の球体とから構成したものである。
【００１１】
前記構成により、写真を撮影する際は、従来の三脚と同様に各脚体を適当な角度に広げて平面上に自立させることにより、他人の手を借りずに気軽に写真撮影が可能になる上、小型軽量のため携帯性も高い。
また写真を撮影する場所に適当な平面がない場合は、柵やポール、木の枝等に屈曲自在な脚体を巻き付けてカメラを保持することにより写真撮影が可能になるため、三脚を設置する場所に制限を受けることが少ない。
さらに三脚の各脚体は、球体の中心部に手の力だけで簡単に屈曲できる線条体が挿通されていて、３本の脚体によってカメラを保持することにより、カメラの荷重が３本の脚体に分散されて支持されるため、カメラを安定させた状態で写真撮影が行えるようになる。
【００１２】
本考案のカメラ用三脚は、球体を弾性を有する材料よりなり、かつ頂部に筒状の凹入部が形成され、また底部に前記凹入部に嵌合する筒状部が突設された多面球体より形成したものである。
【００１３】
前記構成により、柵やポール、木の枝等に脚体を巻き付けた際、柵やポール、木の枝等に対し球体が面接触となるため、両者の接触部に大きな摩擦力が得られるようになり、これによってビデオカメラのように比較的状量の重いカメラを取り付けた場合でも、撮影中にカメラがグラツクことがないため、安定した写真撮影やビデオ撮影が可能になる。
また各球体の頂部と底部に設けた凹入部と筒状部が互いに嵌合しているため、脚体を曲げた場合に各球体の間に線条体が露出することがなく、これによって意匠的な外観が損なわれることがない上、互いに嵌合する凹入部と筒状部により線条体が鋭角に曲げられるのを阻止するため、繰り返し脚体を屈曲しても線条体が折損することが少ないので耐久性も高い。
【００１４】
本考案のカメラ用三脚は、雲台にカメラを取り付けるクイックシューを着脱自在に設けると共に、クイックシュートと雲台との間に、クイックシューを正逆方向へ回動することにより係脱自在な係止手段を設けたものである。
【００１５】
前記構成により、雲台よりクイックシューを取り外してカメラの取り付けが行えるため、カメラを三脚に取り付ける作業が容易かつ短時間で行える。
【００１６】
本考案のカメラ用三脚は、係止手段を、雲台側に設けられた係止爪と、クイックシュー側に設けられ、かつクイックシューを正逆方向へ回動することにより係止爪に係脱自在な係止板と、係止爪に係止板が係止された状態でクイックシューの回動を係止する係止レバーとから構成したものである。
【００１７】
前記構成により、係止手段がクイックシューの回動を係止しするため、三脚にカメラを取り付けた状態で持ち運んでも、三脚よりカメラが不用意に脱落する心配がない。
【考案の効果】
【００１８】
本考案のカメラ用三脚によれば、写真を撮影する場所に適当な平面がない場合は、柵やポール、木の枝等に屈曲自在な脚体を巻き付けてカメラを保持することにより写真撮影が可能なため、三脚を設置する場所に制限を受けることが少ない。
また柵やポール、木の枝等に脚体を巻き付けた際、柵やポール、木の枝等に対し球体が面接触となるため、両者の接触部に大きな摩擦力が得られるようになり、これによってビデオカメラのように比較的状量の重いカメラを取り付けた場合でも、撮影中にカメラがグラツクことがないため、安定した写真撮影やビデオ撮影が可能になる。
【図面の簡単な説明】
【００１９】
【図１】本考案の実施の形態になるカメラ用三脚の正面図である。
【図２】本考案の実施の形態になるカメラ用三脚の一部切欠正面図である。
【図３】本考案の実施の形態になるカメラ用三脚の脚体を構成する球体を分離した状態の説明図である。
【図４】本考案の実施の形態になるカメラ用三脚を構成する雲台の分解図である。
【図５】図４のＡ方向からの矢視図である。
【図６】図４のＢ方向からの矢視図である。
【図７】本考案の実施の形態になるカメラ用三脚を構成する雲台の係止レバー側の正面図である。
【図８】図７のＣ−Ｃ線に沿う断面図である。
【考案を実施するための形態】
【００２０】
本考案の実施の形態を、図面を参照して詳述する。
図１に示す三脚本体１は、雲台２と、雲台２に着脱自在に取り付けられたクイックシュー３と、雲台２にクイックシュー３を係脱自在に係止する係止手段７と、雲台２を回動自在に支持する支持部材４と、上端部が支持部材４に回動自在に嵌合された３本の脚体５と、各脚体５の下端部に設けられた接地部材６とからなる。
雲台２は図４に示すように、上面が開口し、かつ有底となる短筒状の台座部２ａと、台座部２ａの下部に一体成形された板状の支持部２ｂとからなり、台座部２ａの開口部には、係止手段７の係止爪７ａが図６に示すように中心部を挟んで対向するよう水平方向に突設されている。
【００２１】
雲台２に対し着脱自在なクイックシュー３は、図４及び図５に示すように上面が閉鎖された短筒状の基体３ａと、基体３ａの上面に設けられた軟質樹脂よりなる弾性パッド３ｂとからなり、基体３ａの内径は、台座部２ａの外径よりやや大きく形成されていて、上方から台座部２ａに嵌合できるようになっている。
基体３ａの上面中央には、弾性パッド３ｂの中心部を貫通するようカメラ取り付けねじ３ｃが上方へ向けて突設されており、基体３ａの外周面には、複数の突条３ｄが円周方向に等間隔に突設されていて、台座部２ａより基体３ａを取り外す際に基体３ａを回動しやすくなっている。
【００２２】
基体３ａの内側には図５に示すように、係止手段７の係止板７ｂが内底面に固着されて設けられている。
係止手段７は、雲台２の台座部２ａにクイックシュー３を取り付けた際、台座部２ａの係止爪７ａに係止板７ｂが係合して、台座部２ａよりクイックシュー３が外れるのを防止するもので、係止板７ｂの中心を挟んで対抗する外周部に、係止爪７ａの円周方向の長さより少し長い切り欠き７ｃが形成されている。
また係止板７ｂに形成された各切り欠き７ｃの中間となる外周部には、係止レバー７ｄの係止部７ｅよりやや幅の広い係止凹部７ｆが形成されている。
係止レバー７ｄは、雲台２に取り付けたクイックシュー３が不用意に外れないようクイックシュー３の回動を係止するもので、図８に示すようにほぼへ字状に形成されていて、屈曲部付近がピン８により雲台２の支持部２ｂに突設されたブラケット２ｄに回動自在に枢着されている。
【００２３】
係止レバー７ｄの上端部に形成された係止部７ｅは、基体３ａの底部から外周部にかけて形成されたほぼＬ字形の開口より台座部２ａ内に出没自在に突出されており、係止レバー７ｄの下端側には、円盤状の押圧部７ｇが一体形成されている。
係止レバー７ｄと雲台２の支持部２ｂの間には、図８に示すように係止部７ｅが台座部２ａ内に突出するよう係止レバー７ｄを付勢する圧縮ばね９が介在されていて、圧縮ばね９に抗して押圧部７ｇを押圧することにより、係止レバー７ｄの係止部７ｅが係止板７ｂの係止凹部７ｆより後退するため、クイックシュー３の基体３ａを回動できるようになっている。
係止板７ｂの下面には、係止凹部７ｆの近傍に一対の突起７ｉが突設されている。
これら突起７ｉは、雲台２の台座部２ａにクイックシュー３を取り付けた際、台座部２ａの内底面に形成された円弧状のガイド溝７ｊに嵌合して、基体３ａの回動範囲を規制するもので、これによってクイックシュー３が必要以上に回動されるのを防止できるようになっている。
【００２４】
一方雲台２の支持部２ｂには、台座部２ａにクイックシュー３の基体３ａを嵌合した際、基体３ａが支持部２ｂと干渉しないように凹溝２ｇが形成されていると共に、支持部２ｂの下部には、軸部２ｈが下方に向けて突設されており、軸部２ｈの先端に球状部２ｉが形成されている。
そしてこの球状部２ｉは、支持部材４の上部に形成された上部球受け部４ａに回動自在に嵌合されており、支持部材４には、脚体５の上端部に設けられた球状部５ｂを嵌合する下部球受け部４ｂが３個所形成されている。
上部球受け部４ａには、雲台２の球状部２ｉが固く嵌合されていて、クイックシュー３にカメラ（図示せず）を取り付けた際、カメラの荷重が雲台２に加わっても雲台２が容易に回動することがないように球状部２ｉと上部球受け部４ａとの間の摩擦力が設定されており、支持部材４を手で保持した状態で雲台２を強く動かすことにより、所望の方向へ雲台２を回動することができるようになっている。
【００２５】
支持部材４の下部球受け部４ｂは、上部球受け部４ａを中心に円周方向に等間隔となるよう配置されていて、これら下部球受け部４ｂに各脚体５の上端部に設けられた球状部５ｂが固く嵌合されており、クイックシュー３にカメラを取り付けた際、カメラの荷重が雲台２を介して支持部材４に加わっても、各脚体５が容易に開脚することがないように球状部５ｂと球受け部４ｂとの間の摩擦力が設定されており、支持部材４を手で保持した状態で脚体５を強く動かすことにより、所望の方向へ脚体５が回動できるようになっている。
３本の脚体５は、何れも中心部にアルミニウムのような手で簡単に屈曲できる金属線よりなる線条体５ａが設けられており、この線条体５ａに複数の球体５ｃが挿通されていると共に、線条体５ａの上端部に球状部５ｂが固着されている。
各球体５ｃは、例えば多面球体より形成されていて、全体が硬質ゴムや軟質樹脂等の弾性材料により一体成形されており、成形する際に予め任意な色に着色されている。
【００２６】
球体５ｃの頂部には、筒状の凹入部５ｄが凹設されており、球体５ｃの底部には、凹入部５ｄに嵌挿自在な筒状部５ｅが突設されている。
凹入部５ｄの深さは筒状部５ｅの長さとほぼ同一で、かつ内径は筒状部５ｅの外径よりやや大きくなっており、筒状部５ｅの内径は、線条体５ａの外径より僅かに小さくなっていて、球体５ｃの弾性力を利用して線条体５ａに球体５ｃが圧入されている。
図３は線条体５ａの一端側から各球体５ｃを圧入している状態を示すもので、一番下側の球体５ｃが線条体５ａの下端に固着された球状部６ａに達したら、次の球体５ｃの筒状部５ｅが下側の球体５ｃの凹入部５ｄに嵌合するよう球体５ｃを線条体５ａの下方へ摺動させる。
以下前記動作を繰り返して図２に示すように、線条体５ａの周囲に連続的に球体５ｃが圧入された形状の脚体５を構成するもので、球体５ｃを線条体５ａに圧入する際、球体５ｃの色を揃えてもよく、１個または複数個置きに異なる色の球体５ｃを順次圧入してもよく、球体５ｃの色を変えることにより、意匠的効果の高い三脚本体１が得られるようになる。
【００２７】
線条体５ａの下端部に、予め接地部材６の球状部６ａを固着しておくことにより、線条体５ａに球体５ｃを圧入する際線条体５ａの下端側から球体５ｃが抜け出すことがないので、球体５ｃの組み立て作業が能率よく行えるようになる。
また線条体５ａに固着された球状体６ａには、接地部材６の接地部６ｂが回動自在に嵌合されている。
接地部６ｂは、軟質なゴムや樹脂により下部に対し上部がやや小径となった筒状に形成されていて、底面は平坦な接地面６ｃとなっており、内部は上面が開口する球状の凹部６ｃとなっていて、この凹部６ｃに上面開口より球状部６ａを圧入することにより、球状部６ａに対し接地部６ｂが回動自在に嵌合されている。
【００２８】
次に前記構成されたカメラ用三脚の作用を説明する。
旅先等にカメラとともの三脚を持参するときには、各脚体５を閉じた状態にすることにより嵩張ることがなく、また三脚本体１のほとんどが樹脂により形成されていて軽量なため、気軽に持参することができる。
三脚の使用に当たっては、雲台２に設けられた係止レバー７ｄの押圧部７ｇを押圧することによりピン８を中心に係止レバー７ｄを回動させて、係止レバー７ｄ先端の係止部７ｅを係止板７ｂの係止凹部７ｆから退入させ、この状態でクイックシュー３の基体３ａを回動する。
基体３ａの回動範囲を規制する突起７ｉがガイド溝７ｊの端部に達して基体３ａの回動が規制された位置になると、係止板７ｂに形成された切り欠き７ｃが雲台２側の係止爪７ａと合致するので、この状態でクイックシュー３を上方へ持ち上げて雲台２からクイックシュー３を外す。
【００２９】
クイックシュー３が外れたら、クイックシュー３のカメラ取り付けねじ３ｃをカメラ底部のねじ孔にねじ込んで、カメラにクイックシュー３を取り付ける。
カメラにクイックシュー３を取り付けたら、取り外し時と逆の操作でクイックシュー３を雲台２に取り付けることにより、カメラを三脚本体１にセットすることができる。
写真を撮影する際は、従来の三脚と同様に三脚本体１の各脚体５を適当な角度に広げて平面に三脚本体１を立てることにより写真の撮影に供するが、写真を撮影する場所に適当な平面がない場合は、柵の横桟やポール、木の枝等に脚体５を巻き付けることのより、カメラを保持するようにしてもよい。
三脚本体１の各脚体５は、球体５ｃの中心部に手の力だけで簡単に屈曲できる線条体５ａが挿通されているため、巻き付ける柵やポール、木の枝等に合わせて自由に曲げることができる上、３本の脚体５によってカメラを保持することにより、カメラの荷重が３本の脚体５に分散されて支持されるため、カメラを安定させた状態で写真撮影が行えるようになる。
【００３０】
また脚体５を構成する複数の球体５ｃを多面球体とすることにより、柵やポール、木の枝等に脚体５を巻き付けた際、柵やポール、木の枝等と球体５ｃが面接触となるため、両者の接触面に大きな摩擦力が得られるようになり、これによってビデオカメラのように比較的状量の重いカメラを取り付けた場合でも、撮影中にカメラがグラツクことがないため、安定した写真撮影やビデオ撮影が可能になる。
なお前記実施の形態では、球体５ｃを多面球体としたが、通常の球体や楕円状の球体であってもよい。
【符号の説明】
【００３１】
１    三脚本体
２    雲台
３    クイックシュー
４    支持部材
５    脚体
５ａ    線条体
５ｃ    球体
５ｄ    凹入部
５ｅ    筒状部
６    接地部材
７    係止手段
７ａ    係止爪
７ｂ    係止板
７ｄ    係止レバー
【図１】
0003154262.tif 000003
【図２】
0003154262.tif 000004
【図３】
0003154262.tif 000005
【図４】
0003154262.tif 000006
【図５】
0003154262.tif 000007
【図６】
0003154262.tif 000008
【図７】
0003154262.tif 000009
【図８】
0003154262.tif 000010
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
カメラを取り付ける雲台と、前記雲台を回動自在に支持する支持部材と、前記支持部材に上端部が回動自在に支承され、かつ下端部に接地部材が回動自在に支承された脚体とからなり、前記脚体を、屈曲自在な金属線よりなる線条体と、前記線条体に互いに当接するように挿通された複数の球体とから構成したことを特徴とするカメラ用三脚。
【請求項２】
前記球体を、弾性を有する材料からなり、かつ頂部に筒状の凹入部が形成され、また底部に前記凹入部に嵌合する筒状部が突設された多面球体より形成してなる請求項１に記載のカメラ用三脚。
【請求項３】
前記雲台にカメラを取り付けるクイックシューを着脱自在に設けると共に、前記クイックシューと前記雲台との間に、前記クイックシューを正逆方向へ回動することにより係脱自在な係止手段を設けてなる請求項１または２に記載のカメラ用三脚。
【請求項４】
前記係止手段を、雲台側に設けられた係止爪と、前記クイックシュー側に設けられ、かつ前記クイックシューを正逆方向へ回動することにより前記係止爪に係脱自在な係止板と、前記係止爪に前記係止板が係止された状態で前記クイックシューの回動を係止する係止レバーとから構成してなる請求項３に記載のカメラ用三脚。
【手続補正２】
【補正対象書類名】明細書
【補正対象項目名】００１０
【補正方法】変更
【補正の内容】
【００１０】
本考案のカメラ用三脚は、カメラを取り付ける雲台と、雲台を回動自在に支持する支持部材と、支持部材に上端部が回動自在に支承され、かつ下端部に接地部材が回動自在に支承された脚体とからなり、脚体を、屈曲自在な金属線よりなる線条体と、線条体に互いに当接するように挿通された複数の球体とから構成したものである。
【手続補正３】
【補正対象書類名】明細書
【補正対象項目名】００１４
【補正方法】変更
【補正の内容】
【００１４】
本考案のカメラ用三脚は、雲台にカメラを取り付けるクイックシューを着脱自在に設けると共に、クイックシューと雲台との間に、クイックシューを正逆方向へ回動することにより係脱自在な係止手段を設けたものである。